(57)【要約】【課題】従来の機械的処理や凝集処理では除去困難な被処理水中のミクロピッチを、含有ピッチ量が少ない場合であっても、また、含有ピッチ量に変動があっても、効率的に分離除去する。【解決手段】ミクロピッチを含有する被処理水にポリマーを添加し、添加直後にブランケット式沈降槽に上向流通水する。ポリマーとして、カチオン性モノマーとアニオン性モノマーおよび／またはノニオン性モノマーとの共重合物であり、カチオン性モノマーに由来する構造単位／アニオン性モノマーに由来する構造単位／ノニオン性モノマーに由来する構造単位の比率（ｍｏｌ％）が２〜９０／０〜５０／０〜９８で、これらの合計が１００ｍｏｌ％となるものであって、かつ、塩粘度が５〜５０ｍＰａ・ｓであるものを用いる。【選択図】図１
2020100917.tif 000002
【特許請求の範囲】
【請求項１】
ミクロピッチを含有する被処理水にポリマーを添加し、
添加後に直接ブランケット式沈降槽に上向流通水するピッチ含有水の処理方法であって、
該ポリマーは、
カチオン性モノマーとアニオン性モノマーおよび／またはノニオン性モノマーとの共重合物であり、
該カチオン性モノマーに由来する構造単位／該アニオン性モノマーに由来する構造単位／該ノニオン性モノマーに由来する構造単位の比率（ｍｏｌ％）が２〜９０／０〜５０／０〜９８で、これらの合計が１００ｍｏｌ％となるものであって、かつ、
塩粘度が５〜５０ｍＰａ・ｓであることを特徴とするピッチ含有水の処理方法。
【請求項２】
前記被処理水は、明細書記載の方法で測定したマクロピッチ含有率が１００個／ｍ２以下で、ミクロピッチ含有量が８７０μｍ３／μＬ以上である請求項１に記載のピッチ含有水の処理方法。
【請求項３】
前記ミクロピッチが粒子径０．５〜１５０μｍの疎水性懸濁物質であり、前記マクロピッチが粒子径１５０μｍを超える疎水性懸濁物質である請求項２に記載のピッチ含有水の処理方法。
【請求項４】
前記被処理水への前記ポリマーの添加量が１〜１０ｍｇ／Ｌである請求項１ないし３のいずれか１項に記載のピッチ含有水の処理方法。
【請求項５】
前記ポリマーの添加に先立ち、前記被処理水に無機凝集剤を５０〜２５００ｍｇ／Ｌ添加する請求項１ないし４のいずれか１項に記載のピッチ含有水の処理方法。
【請求項６】
前記被処理水が製紙工程における余剰白水の紙料回収工程で得られる分離白水である請求項１ないし５のいずれか１項に記載のピッチ含有水の処理方法。
【請求項７】
前記ブランケット式沈降槽で得られた分離水を濾過処理する請求項１ないし６のいずれか１項に記載のピッチ含有水の処理方法。
【請求項８】
ミクロピッチを含有する被処理水の処理装置であって、
該被処理水を通水する通水配管と、
該通水配管にポリマーをライン注入するポリマー添加手段と、
該通水配管の下流端に接続された、上向流通水方式のブランケット式沈降槽とを備え、
該ポリマーは、
カチオン性モノマーとアニオン性モノマーおよび／またはノニオン性モノマーとの共重合物であり、
該カチオン性モノマーに由来する構造単位／該アニオン性モノマーに由来する構造単位／該ノニオン性モノマーに由来する構造単位の比率（ｍｏｌ％）が２〜９０／０〜５０／０〜９８で、これらの合計が１００ｍｏｌ％となるものであって、かつ、
塩粘度が５〜５０ｍＰａ・ｓであることを特徴とするピッチ含有水の処理装置。
【請求項９】
前記被処理水は、明細書記載の方法で測定したマクロピッチ含有率が１００個／ｍ２以下で、ミクロピッチ含有量が８７０μｍ３／μＬ以上である請求項８に記載のピッチ含有水の処理装置。
【請求項１０】
前記ミクロピッチが粒子径０．５〜１５０μｍの疎水性懸濁物質であり、前記マクロピッチが粒子径１５０μｍを超える疎水性懸濁物質である請求項９に記載のピッチ含有水の処理装置。
【請求項１１】
前記ポリマー添加手段による前記被処理水への前記ポリマーの添加量が１〜１０ｍｇ／Ｌである請求項８ないし１０のいずれか１項に記載のピッチ含有水の処理装置。
【請求項１２】
前記ポリマー添加手段の前段に、前記被処理水に無機凝集剤を５０〜２５００ｍｇ／Ｌ添加する無機凝集剤添加手段を備える請求項８ないし１１のいずれか１項に記載のピッチ含有水の処理装置。
【請求項１３】
前記被処理水が製紙工程における余剰白水の紙料回収工程で得られる分離白水である請求項８ないし１１のいずれか１項に記載のピッチ含有水の処理装置。
【請求項１４】
前記ブランケット式沈降槽で得られた分離水を濾過処理する濾過手段を備える請求項８ないし１３のいずれか１項に記載のピッチ含有水の処理装置。
【発明の詳細な説明】
【技術分野】
【０００１】
本発明は、ピッチ含有水の処理方法及び処理装置に関するものであり、特に製紙工程における分離白水中の粒子径１５０μｍ以下のミクロピッチを効率よく除去する方法及び装置に関する。
【背景技術】
【０００２】
一般に、紙製造工程におけるピッチとは、パルプ由来の樹脂成分や再生古紙中の合成粘着物質、製紙工程で使用される添加薬品に由来する有機物を主体とする疎水性の粘着性物質を示す。
ピッチは水中でコロイドとして存在しているが、大きなせん断力やｐＨの変化、水温の変化、薬剤の添加等でコロイド状態が破壊されることにより水中で析出し、微細なピッチ同士あるいは炭酸カルシウムなどの填料や微細繊維などと凝集物を形成することで、製品へのピッチ凝集物の混入、搾水不良、断紙等を引き起こすことがある。このため、ピッチに起因して、製品の品質及び不留り低下や、設備を停止して抄紙用具等を洗浄することによる生産性低下等の問題が発生する。
【０００３】
近年、原料中への古紙配合率の増加や用水原単位の低減が進むにつれて、製紙工程に持ち込まれるピッチ量が増加し、ピッチ障害が多くなるとともに複雑化している。また、古紙の品質によって流入ピッチ量が激しく増減し、処理が安定しないという問題も生じている。
【０００４】
ピッチ障害の防止方法としては、薬品による処理と機械的な処理が代表的である。
【０００５】
薬品による処理では、合成ポリマーや、界面活性剤、無機凝集剤などが一般的に用いられる。
合成ポリマーの作用機構は、僅かな負電荷を持つピッチをカチオン性の合成ポリマーでパルプに定着させることであるが、荷電反応であるため疎水性が強いピッチに対しては定着作用が劣るという欠点がある。あるいはイオン性に関わらず合成ポリマーによる凝集作用により、フロックへピッチを取り込む方法もあるが、定着作用が弱いために十分な効果を示さない。
界面活性剤はピッチを水中に分散させることを目的に用いられるが、分散させたピッチが抄紙工程を循環することにより濃縮し、薬剤不足あるいはせん断力により薬剤とピッチの結合が剥がれることで、ピッチが粗大化し様々な障害を引き起こす問題がある。
また、無機凝集剤は至適ｐＨがあるため、範囲外の水質においては作用が劣る。
【０００６】
機械的な処理に適用される機器としては、パルプ化工程では例えば釜内洗浄機、回転式（真空／加圧）ドラム洗浄機、ディフュージョン洗浄機、ベルト洗浄機、プレス洗浄機などがある。また、抄紙工程では、例えばスクリーンやクリーナー、濾過式ディスクフィルター、加圧浮上装置、凝集沈殿装置などがある。
【０００７】
図２は、直列多段に設置したディスクフィルター等の分離装置で紙料回収／ピッチ除去を行う場合の紙料回収工程を示す系統図である。ここで分離された固形物は原料として原質系で再利用される。一方、分離水については、上流側で得られる分離水は高濃度のため、余剰白水側に返送して再び分離して原料を回収するようにし、下流側で得られる分離水は低濃度のため、一部は原質系の濃度調整用に水回収されるが、残部は系外へ排出している場合がある。
【０００８】
ここで、用水量のより一層の低減のためには、低濃度側の分離水（低濃度白水）についても、なるべく系外へ排出することなく水回収するべく、さらに高度処理して水回収し、原水側や原質系において再利用することが望まれる。
【０００９】
しかし、図２のような紙料回収工程では既に分離しやすいピッチは上流側で原料と共に除去されており、低濃度白水には分離しにくいピッチが多く含まれることとなる。
すなわち、例えば、粒子径１５０μｍを区切りに、これよりも大きなものをマクロピッチ、小さなものをミクロピッチとして分けた場合、通常、マクロピッチは機械的な固液分離処理が可能であるが、ミクロピッチは固液分離できない。
この要因としては、ミクロピッチは表面荷電が小さい傾向があり、凝集剤を添加しても凝集効果もしくは繊維への定着効果が得られにくく、水相と効率的に分離し得ないことが挙げられる。
このため、低濃度白水は、繊維質、マクロピッチ、ミクロピッチといった固形分のうち、ミクロピッチの含有比率が高濃度白水よりも非常に高くなっている。
【００１０】
このように低濃度白水はミクロピッチの含有比率が高いことに加え、ピッチ等の固形分濃度が低いため、ピッチ同士あるいは繊維、填料との衝突機会（頻度）も少なく、これを機械的に分離しようとすると、高密度な凝集体を形成するための滞留時間が長く必要となり、装置が大型化してしまう。このようなことから、低濃度白水については機械的な分離処理は困難である。
【００１１】
従来、ピッチ除去処理に関する技術については、種々提案がなされているが（例えば、特許文献１）、従来法はいずれも余剰白水や高濃度白水などを処理対象として、主として繊維質やマクロピッチを処理しているものであり、低濃度白水のように、繊維質やマクロピッチが既に固液分離により低減され、除去しにくいミクロピッチの含有比率が相対的に高い排水の処理については検討されていない。
【００１２】
なお、ピッチ障害のリスクを評価する上でミクロピッチの定量が重要となるが、上記の通り、ミクロピッチは分離が困難であるため、ミクロピッチのみの分析は非常に難しく、有効な方法は提案されていなかった。しかし、本発明者は、ピッチの持つ疎水基を特徴的な蛍光染料を用いて染色し、観察画像から繊維を除去することで、マクロピッチのみを分離し、水相中のミクロピッチを定量することに成功し、本出願人より特許出願した（特許文献２）。これにより、ピッチ除去処理におけるミクロピッチの除去性能を評価することが可能となった。
【先行技術文献】
【特許文献】
【００１３】
【特許文献１】特開昭６１−６３８９号公報
【特許文献２】特開２０１７−９５６４号公報
【発明の概要】
【発明が解決しようとする課題】
【００１４】
本発明は、従来の機械的処理や凝集処理では除去困難なミクロピッチを、含有ピッチ量が少ない場合であっても、また、含有ピッチ量に変動があっても、効率的に分離除去することができるピッチ含有水の処理方法及び処理装置を提供することを課題とする。
【課題を解決するための手段】
【００１５】
本発明者は、上記課題を解決すべく検討を重ねた結果、特定のポリマーを用い、ポリマー添加後短時間内に直接ブランケット式沈降槽に上向流通水することで、低濃度白水等のミクロピッチ含有比率が少なく、かつ含有ピッチ量が変動する被処理水中のミクロピッチを効率的に除去することができることを見出した。
すなわち、本発明は以下を要旨とする。
【００１６】
［１］  ミクロピッチを含有する被処理水にポリマーを添加し、添加後に直接ブランケット式沈降槽に上向流通水するピッチ含有水の処理方法であって、該ポリマーは、カチオン性モノマーとアニオン性モノマーおよび／またはノニオン性モノマーとの共重合物であり、該カチオン性モノマーに由来する構造単位／該アニオン性モノマーに由来する構造単位／該ノニオン性モノマーに由来する構造単位の比率（ｍｏｌ％）が２〜９０／０〜５０／０〜９８で、これらの合計が１００ｍｏｌ％となるものであって、かつ、塩粘度が５〜５０ｍＰａ・ｓであることを特徴とするピッチ含有水の処理方法。
【００１７】
［２］  前記被処理水は、明細書記載の方法で測定したマクロピッチ含有率が１００個／ｍ２以下で、ミクロピッチ含有量が８７０μｍ３／μＬ以上である［１］に記載のピッチ含有水の処理方法。
【００１８】
［３］  前記ミクロピッチが粒子径０．５〜１５０μｍの疎水性懸濁物質であり、前記マクロピッチが粒子径１５０μｍを超える疎水性懸濁物質である［２］に記載のピッチ含有水の処理方法。
【００１９】
［４］  前記被処理水への前記ポリマーの添加量が１〜１０ｍｇ／Ｌである［１］ないし［３］のいずれかに記載のピッチ含有水の処理方法。
【００２０】
［５］  前記ポリマーの添加に先立ち、前記被処理水に無機凝集剤を５０〜２５００ｍｇ／Ｌ添加する［１］ないし［４］のいずれかに記載のピッチ含有水の処理方法。
【００２１】
［６］  前記被処理水が製紙工程における余剰白水の紙料回収工程で得られる分離白水である［１］ないし［５］のいずれかに記載のピッチ含有水の処理方法。
【００２２】
［７］  前記ブランケット式沈降槽で得られた分離水を濾過処理する［１］ないし［６］のいずれかに記載のピッチ含有水の処理方法。
【００２３】
［８］  ミクロピッチを含有する被処理水の処理装置であって、該被処理水を通水する通水配管と、該通水配管にポリマーをライン注入するポリマー添加手段と、該通水配管の下流端に接続された、上向流通水方式のブランケット式沈降槽とを備え、該ポリマーは、カチオン性モノマーとアニオン性モノマーおよび／またはノニオン性モノマーとの共重合物であり、該カチオン性モノマーに由来する構造単位／該アニオン性モノマーに由来する構造単位／該ノニオン性モノマーに由来する構造単位の比率（ｍｏｌ％）が２〜９０／０〜５０／０〜９８で、これらの合計が１００ｍｏｌ％となるものであって、かつ、塩粘度が５〜５０ｍＰａ・ｓであることを特徴とするピッチ含有水の処理装置。
【００２４】
［９］  前記被処理水は、明細書記載の方法で測定したマクロピッチ含有率が１００個／ｍ２以下で、ミクロピッチ含有量が８７０μｍ３／μＬ以上である［８］に記載のピッチ含有水の処理装置。
【００２５】
［１０］  前記ミクロピッチが粒子径０．５〜１５０μｍの疎水性懸濁物質であり、前記マクロピッチが粒子径１５０μｍを超える疎水性懸濁物質である［９］に記載のピッチ含有水の処理装置。
【００２６】
［１１］  前記ポリマー添加手段による前記被処理水への前記ポリマーの添加量が１〜１０ｍｇ／Ｌである［８］ないし［１０］のいずれかに記載のピッチ含有水の処理装置。
【００２７】
［１２］  前記ポリマー添加手段の前段に、前記被処理水に無機凝集剤を５０〜２５００ｍｇ／Ｌ添加する無機凝集剤添加手段を備える［８］ないし［１１］のいずれかに記載のピッチ含有水の処理装置。
【００２８】
［１３］  前記被処理水が製紙工程における余剰白水の紙料回収工程で得られる分離白水である［８］ないし［１１］のいずれかに記載のピッチ含有水の処理装置。
【００２９】
［１４］  前記ブランケット式沈降槽で得られた分離水を濾過処理する濾過手段を備える［８］ないし［１３］のいずれかに記載のピッチ含有水の処理装置。
【発明の効果】
【００３０】
本発明によれば、低濃度白水のような含有ピッチ量が少なく、また、含有ピッチ量の変動が大きい被処理水であっても、被処理水中に含まれるミクロピッチを効率的に分離除去することができる。
本発明は特に、製紙工程における紙料回収工程の分離白水、特に下流側の低濃度白水中のミクロピッチの除去に有効であり、低濃度白水からミクロピッチを効率的に除去して、その回収再利用を可能とし、系外への排水量を大幅に低減することができる。
【図面の簡単な説明】
【００３１】
【図１】本発明のピッチ含有水の処理装置の実施の形態の一例を示す系統図である。
【図２】一般的な製紙工程における紙料回収工程を示す系統図である。
【発明を実施するための形態】
【００３２】
以下に本発明のピッチ含有水の処理方法及び処理装置の実施の形態を詳細に説明する。
【００３３】
本発明のピッチ含有水の処理方法は、ミクロピッチを含有する被処理水に特定のポリマーを添加し、添加後に直接ブランケット式沈降槽に上向流通水することを特徴とする。
【００３４】
本発明のピッチ含有水の処理装置は、ミクロピッチを含有する被処理水を通水する通水配管と、該通水配管に特定のポリマーをライン注入するポリマー添加手段と、該通水配管の下流端に接続された、上向流通水方式のブランケット式沈降槽とを備えることを特徴とする。
【００３５】
本発明のピッチ含有水の処理方法及び処理装置で添加するポリマーは、カチオン性モノマーとアニオン性モノマーおよび／またはノニオン性モノマーとの共重合物であり、カチオン性モノマーに由来する構造単位／アニオン性モノマーに由来する構造単位／ノニオン性モノマーに由来する構造単位の比率（ｍｏｌ％）が２〜９０／０〜５０／０〜９８で、これらの合計が１００ｍｏｌ％となるものであって、かつ、塩粘度が５〜５０ｍＰａ・ｓのものである。
【００３６】
［メカニズム］
本発明によれば、上記特定のポリマーを添加して添加後に直接ブランケット式沈降槽に上向流通水することにより、従来の機械的処理や凝集処理では除去困難なミクロピッチを効率的に除去することができる。
本発明によりミクロピッチを効率的に除去し得るメカニズムの詳細は明らかではないが、以下のように推定される。
【００３７】
特に、余剰白水からの紙料回収工程の分離白水、特に下流側の低濃度白水など、ピッチの濃度が低い水中では、ピッチ同士あるいは繊維、填料との衝突機会が少なく、凝集反応が進行しにくく、また凝集したフロックも高密度になりにくく、通常の凝集沈殿装置や加圧浮上装置による分離が困難であった。これに対して、本発明に従って、ブランケット式沈降槽の直前で特定のポリマーを添加すると共にブランケット式沈降槽の高濃度ブランケットに上向流通水することにより、余剰白水の（低濃度）分離白水に残留するピッチ、繊維、填料、またはこれらの凝集フロックが高濃度ブランケットと頻繁に衝突することになり、凝集反応の効率を向上させると共に、ポリマーが余剰白水の（低濃度）分離白水に残留するピッチ、繊維、填料、またはこれらの凝集フロックとの凝集反応に寄与しやすくなり、高密度な凝集フロックの形成が促進されるものと推定される。
【００３８】
また、前述の通り、余剰白水の紙料回収工程（ディスクフィルターなど）の分離白水、特に多段処理の下流側からの低濃度白水は、既に繊維やマクロピッチの相当量が除去されてピッチ中のミクロピッチの含有割合が高くなっている。このような被処理水に特定のポリマーをブランケット式沈降槽の直前で添加することで、繊維やマクロピッチに消費されるポリマーの割合を低減することができ、ブランケット層のペレットへのポリマー付着が効率的に行われ、ブランケット層で十分にミクロピッチを除去することが可能となる。
しかも、水中のピッチが低濃度であることで、却ってポリマーとミクロピッチ以外の繊維やマクロピッチとの接触機会が低減することによっても、ミクロピッチの処理に関与するポリマーの割合が多くなり、ミクロピッチを効果的に分離することができる。
このようなことから、低濃度ピッチ含有水であっても、ブランケット法であれば安定処理が可能である。
なお、被処理水中の繊維はそれ自体がペレットの核になるか、或いはペレットに巻きついて粗大化を推進する。
【００３９】
［被処理水］
本発明で処理対象とするミクロピッチを含む被処理水としては、特に製紙工程の余剰白水の紙料回収工程で得られる分離白水が挙げられ、本発明は特に、前述の低濃度白水からのミクロピッチの除去に好適である。
【００４０】
即ち、抄紙工程ではピッチコントロール剤と呼ばれる合成ポリマーや、界面活性剤、無機凝集剤が用いられ、その作用はイオン結合による定着と、ピッチにアニオン荷電を持たせることによる分散がある。定着型ピッチコントロール剤が用いられる抄紙工程水中には、イオン結合できなかったノニオン性のミクロピッチが多く残留し、分散剤が用いられた抄紙工程水中にはアニオン化したミクロピッチが多く残留している。
このノニオン性、アニオン性のいずれのミクロピッチに対しても、ブランケット式沈降槽におけるスラッジブランケット層において、ピッチ同士あるいは繊維、填料との衝突機会を増加させることができるため、沈降分離しやすい凝集体の形成が促進される。
【００４１】
よって、本発明では、特に、紙製造における抄紙工程からの余剰白水の紙料回収による低濃度白水が特に好適な被処理水となる。具体的には、図２における低濃度白水の送水系路であるＡ部、或いは、この送水系路から原質系に循環させる水を分離する分離部（例えば中継貯槽）であるＢ部、或いは残部の、従来系外へ排出している低濃度白水の送水系路であるＣ部における低濃度白水を処理対象水とすることが好ましく、特に従来、系外に排出している低濃度白水を本発明に従って処理することで、この低濃度白水から水回収を図ることができる。
【００４２】
このような低濃度白水の水質の特徴として、原料変動の影響により、ＳＳ濃度およびミクロピッチ量の変動が大きいことが挙げられるが、本発明によれば、ブランケット式沈降槽におけるスラッジブランケット層での濾過作用により、ミクロピッチ含有量の変動が大きな水質に対しても良好な処理水を高速で得ることができる。
【００４３】
このような低濃度白水等の、本発明で処理対象とするミクロピッチ含有水は、例えば、以下の方法で測定したマクロピッチ含有率が１０００個／ｍ２以下、好ましくは１００個／ｍ２以下、例えば０〜１００個／ｍ２の範囲で変動し、ミクロピッチ含有量が８７０μｍ３／μＬ以上、好ましくは１３００μｍ３／μＬ以上、例えば１３００〜１３０００００μｍ３／μＬの範囲で変動するものが挙げられる。
【００４４】
ここで、マクロピッチとは、製紙スラリー中に疎水基を染色する特定の蛍光染料を添加した際に染色され、蛍光顕微鏡によって観察測定された粒子径が１５０μｍを超える疎水性懸濁物質であり、また、ミクロピッチとは、同じく蛍光顕微鏡によって観察測定された粒子径が０．５〜１５０μｍの疎水性懸濁物質をさす。
【００４５】
＜マクロピッチ含有率＞
以下の方法でマクロピッチを定量評価する。
乾燥重量として２０ｇの製紙スラリーを、円穴スクリーンの振動スクリーンを用いて下から一定の水を流しながら粗選する。粗選した原料は１００メッシュの篩で受ける。その後、１００メッシュの篩で受けた原料を０．１５ｍｍのスリットスクリーンを用いて下から一定の水を流しながら精選する。０．１５ｍｍのスリットに残った残渣は、ろ紙(Ａｄｖａｎｔｅｃ製、Ｎｏ．２ろ紙、φ１８５ｍｍ）を用いて、円筒手すき機にてろ過する。ろ過残渣は平版乾燥器（ＰＴＩ製）を用いて９５℃、７分間乾燥する。乾燥したろ過残渣を純水で薄めた墨汁に完全に浸漬し、キムタオルで余分な墨汁を吸取り、５分間風乾させた後、再度平版乾燥器を用いて９５℃、７分間乾燥する。粉末アルミナを残渣の上に均一に巻き、更に平版乾燥機にて９５℃、１０分間乾燥させる。乾燥後、粉末アルミナを刷毛で掃くと疎水性のピッチ上にはアルミナが残り、繊維には残らないことから、１５０μｍ以上の大きさのピッチが残渣上に浮き彫りになる。これを、画像解析ソフト（ＤＯＭＡＳ、ＰＴＳ製）を用いて１５０μｍ以上のピッチの個数を数え、１ｍ２あたりのマクロピッチ含有率として定量評価する。
【００４６】
＜ミクロピッチ含有量＞
前掲の特許文献２に記載の方法に準拠し、以下の方法でミクロピッチを定量評価する。
試料水に蛍光染料を添加し、染色されたピッチを含む試料水の蛍光顕微鏡による観察画像に対して、画像解析ソフトウェアを用いて、下記（ａ）〜（ｅ）の手順で画像解析処理を行う。
（ａ）カラー画像をグレースケール画像へ変換する変換処理
（ｂ）前記グレースケール画像のノイズを除去し、白黒に２値化する２値化処理
（ｃ）前記２値化処理後の画像の白色領域のうち、アスペクト比が０．２以下の粒子分の領域を除去する除去処理
（ｄ）前記除去処理後の画像の白色領域の各粒子を球体へ概算し、体積（μｍ３）の計測
ここで算出される体積（μｍ３）は、同一条件下で試料水の一部を観察し、画像解析の過程で観察画像中のピッチ面積から各ピッチを球体とみなして体積を概算したものである。
（ｅ）観察した面の面積比と試料水量とから試料水量当たりのミクロピッチ含有量を概算する。
【００４７】
［ポリマー］
本発明で被処理水に添加するポリマー（以下、「本発明のポリマー」と称す場合がある。）は、カチオン性モノマーとアニオン性モノマーおよび／またはノニオン性モノマーとの共重合物であり、カチオン性モノマーに由来する構造単位（以下、「カチオン基」と称す場合がある。）／アニオン性モノマーに由来する構造単位（以下、「アニオン基」と称す場合がある。）／ノニオン性モノマーに由来する構造単位（以下、「ノニオン基」と称す場合がある。）の比率（ｍｏｌ％）が２〜９０／０〜５０／０〜９８で、これらの合計が１００ｍｏｌ％となるものであって、かつ、塩粘度が５〜５０ｍＰａ・ｓのものである。
【００４８】
即ち、本発明のポリマーは、カチオン性モノマーとノニオン性モノマーからなるカチオン性ポリマー或いはカチオン性モノマーとアニオン性モノマー又はカチオン性モノマーとノニオン性モノマーとアニオン性モノマーからなる両性ポリマーであり、前述の通り、定着型ピッチコントロール剤が用いられる抄紙工程水中には、イオン結合できなかったノニオン性のミクロピッチが多く残留し、分散剤が用いられた抄紙工程水中にはアニオン化したミクロピッチが多く残留していることから、これらノニオン性又はアニオン性のミクロピッチに対して有効に作用する。ピッチコントロールの観点から、本発明のポリマーは、カチオン基や疎水基を有するポリマーが望ましい。
【００４９】
本発明のポリマーを構成するカチオン性モノマーとしては、下記一般式（Ｉ）で表されるような重合性不飽和二重結合を有する化合物が挙げられる。
【００５０】
【化１】
2020100917.tif 000003
【００５１】
上記一般式（Ｉ）において、Ｒ１は水素原子又はＣＨ３であり、Ａは酸素原子又はＮＨであり、Ｒ２はヒドロキシル基を置換基として有していてもよい炭素数２〜４のアルキル基であり、Ｒ３は水素原子又は炭素数１〜３のアルキル基であり、Ｒ４は水素原子、ヒドロキシル基を置換基として有していてもよい炭素数１〜３のアルキル基又はベンジル基であり、Ｘ−はハロゲンイオン、スルホン酸イオン、メチル硫酸イオン又は水酸化物イオンである。
【００５２】
上記一般式（Ｉ）において、Ａとしては酸素原子がより好ましい。また、Ｒ２としては、置換基を有さない炭素数２〜４のアルキル基がより好ましく、エチル基がさらに好ましい。Ｒ３としては、炭素数１〜３のアルキル基がより好ましく、メチル基がさらに好ましい。Ｒ４としては、水素原子又は置換基を有さない炭素数１〜３のアルキル基がより好ましく、メチル基がさらに好ましい。Ｘ−としては、ハロゲンイオンがより好ましく、塩化物イオンがさらに好ましい。
【００５３】
上記一般式（Ｉ）で表されるカチオン性モノマーとしては、例えば、（メタ）アクリル酸ジエチルアミノエチルのような（メタ）アクリル酸ジアルキルアミノアルキル、その４級塩及び酸塩、並びに、ジアルキルアミノアルキル（メタ）アクリルアミド、並びにその４級塩及び酸塩が挙げられる。
【００５４】
（メタ）アクリル酸ジアルキルアミノアルキル並びにその４級塩及び酸塩としては、特に限定されないが、例えば、アクリル酸ジメチルアミノエチル塩化メチル４級塩、アクリル酸ジメチルアミノエチル塩化ベンジル４級塩、アクリル酸ジメチルアミノエチル塩酸塩、メタクリル酸ジメチルアミノエチル塩化メチル４級塩、メタクリル酸ジメチルアミノエチル塩化ベンジル４級塩、及びメタクリル酸ジメチルアミノエチル塩酸塩等が挙げられる。
【００５５】
ジアルキルアミノアルキル（メタ）アクリルアミド並びにその４級塩及び酸塩としては、特に限定されないが、例えば、塩化アクリルアミドプロピルトリメチルアンモニウム、ジメチルアミノプロピルアクリルアミド塩酸塩、塩化メタクリルアミドプロピルトリメチルアンモニウム、及びジメチルアミノプロピルメタクリルアミド塩酸塩等が挙げられる。
【００５６】
これらのカチオン性モノマーは、１種又は２種以上を用いることができる。
【００５７】
上述のカチオン性モノマーの中では、（メタ）アクリル酸ジアルキルアミノアルキル４級塩が好適であり、このうち、（メタ）アクリル酸ジメチルアミノエチル塩化メチル４級塩が好ましく、アクリロイルオキシエチルトリメチルアンモニウムクロリドの単独、メタクリロイルオキシエチルトリメチルアンモニウムクロリドの単独、あるいはアクリロイルオキシエチルトリメチルアンモニウムクロリド及びメタクリロイルオキシエチルトリメチルアンモニウムクロリドの組み合わせがさらに好ましい。
【００５８】
本発明のポリマーを構成するアニオン性モノマーは、アニオン性を示し、他のモノマーと共重合可能なモノマーであれば特に制限されることなく使用できる。このようなアニオン性モノマーとしては、アニオン基を有し、かつ重合性不飽和二重結合を有するものが挙げられ、具体的には、不飽和酸またはその塩類等が挙げられる。例えば、アクリル酸、メタクリル酸、イタコン酸、マレイン酸、スチレンスルホン酸、メチルプロペン−スルホン酸、これらの酸の塩が挙げられる。塩は、ナトリウム塩、カリウム塩、アンモニウム塩等が挙げられる。これらのアニオン性モノマーは、１種又は２種以上を用いることができる。アニオン性モノマーとしては、これらの中でもアクリル酸が好適である。
【００５９】
また、本発明のポリマーを構成するノニオン性モノマーとしては、カチオン基及びアニオン基を有さず、かつ重合性不飽和二重結合を有するものが挙げられ、例えば、（メタ）アクリルアミド、Ｎ−メチルアクリルアミド、Ｎ−エチルアクリルアミド、Ｎ，Ｎ−ジメチルアクリルアミド、Ｎ−イソプロピルアクリルアミド、Ｎ−メチロールアクリルアミド、及びダイアセトンアクリルアミド等のＮ置換低級アルキルアクリルアミド等が挙げられる。これらのノニオン性ビニルモノマーは１種又は２種以上を用いることができる。
これらのノニオン性モノマーの中では、（メタ）アクリルアミドが好ましい。
【００６０】
本発明で用いる共重合ポリマーの組成比は、カチオン基／アニオン基／ノニオン基の比率として２〜９０ｍｏｌ％／０〜５０ｍｏｌ％／０〜９８ｍｏｌ％であり、これらの合計が１００ｍｏｌ％となる。より好ましくは、カチオン基／アニオン基／ノニオン基の比率は２〜５０ｍｏｌ％／０〜２０ｍｏｌ％／３０〜９８ｍｏｌ％である。上記範囲よりもカチオン基が多いと、繊維などアニオン性の懸濁物質との反応性が高まりピッチとの反応性が低下する。また、上記範囲よりもカチオン基が少ないと凝集性が弱いフロックを形成し固液分離性が低下する。また、ノニオン基を含むことでカチオン基およびアニオン基によるポリイオンコンプレックスがゲル化することを抑制し、好ましい。
【００６１】
また、本発明のポリマーはスチレン基を有するモノマーを共重合させたものであってもよく、その場合、組成比はカチオン基／アニオン基／スチレン基／ノニオン基の比率が２〜５０ｍｏｌ％／０〜２０ｍｏｌ％／２〜２０ｍｏｌ％／１０〜９８ｍｏｌ％（これらの合計で１００ｍｏｌ％）となるように配合される。
【００６２】
本発明のポリマーはミクロピッチの捕捉性および形成する繊維フロックの大きさの観点から、塩粘度が５〜５０ｍＰａ・ｓであり、５０ｍＰａ・ｓ未満であることが好ましく、５〜３０ｍＰ・ｓであることがより好ましい。
なお、塩粘度とは、４質量％ＮａＣｌ溶液中にポリマーを０．５質量％溶解させた試料の２５℃での粘度をいう。
塩粘度５〜５０ｍＰａ・ｓのポリマーは、ミクロピッチを相性よく捕捉することができる。また、このようなポリマーはそれ自体で粗大化して沈降性を得るには時間がかかるが、本発明では、ポリマーの反応が行われている間に、即ち、ポリマー添加後短時間内にブランケット式の沈降分離を行うことで、ピッチを捕捉したポリマーがブランケットを形成するペレットに付着して良好な沈降性を得ることができ、効率よく沈降分離を行うことができる。
また、予めポリマーが沈降槽内のペレットに付着して沈降性を得た状態で、未凝集で沈降槽に流入したピッチを捕捉することで効率よく沈降分離を行うことができる。
一方、塩粘度５ｍＰａ・ｓ未満のポリマーでは、フロックの形成において十分な大きさのフロックを形成できず、沈降分離性に劣る。また、５０ｍＰａ・ｓ超のポリマーでは、ピッチの捕捉性に劣る。
【００６３】
被処理水への本発明のポリマーの添加量は、ポリマー濃度として１〜１０ｍｇ／Ｌ、特に２〜５ｍｇ／Ｌ程度とすることが好ましい。この範囲よりポリマー添加量が少な過ぎるとポリマーを添加したことによる前述のミクロピッチ分離効果を十分に得ることができず、多過ぎると系内汚れや後段の濾過装置の閉塞が懸念される。
【００６４】
［他の凝集剤］
本発明においては、上記の本発明のポリマーと共に、本発明の効果を損なわない範囲でその他のポリマーや無機凝集剤を被処理水に添加してもよい。
例えば、他のカチオン性ポリマーとして、ジアリルジメチルアンモニウムハライド単位を有する重合体、ポリエチレンイミン及びエピクロロヒドリン単位を有する重合体からなる群から選択される少なくとも１種のポリマーを添加することができる。
また、疎水基を有するポリマーとしては、例えば、フェノール樹脂、ポリビニルアルコール、ポリアルキレングリコールなどを添加することができる。
無機凝集剤としては、例えばアルミニウム化合物が挙げられる。アルミニウム化合物は特に制限されないが、硫酸アルミニウム（硫酸バンド）、塩化アルミニウム、ポリ塩化アルミニウム、アルミナゾル、珪酸アルミニウム、硝酸アルミニウム等のアルミニウム化合物等である。
他の無機凝集剤として、タルク、ベントナイト、カオリンなども用いることができる。
【００６５】
これらは、処理対象の被処理水に対し有効成分の量が０．１〜１０，０００ｍｇ／Ｌ、特に１〜１００ｍｇ／Ｌとなるように添加することが好ましい。
【００６６】
特に、無機凝集剤を本発明のポリマーの添加に先立って添加して荷電中和を行い、微細フロックを形成することで、処理を安定化することができ、好ましい。即ち、余剰白水の紙料回収工程やその上流では、なるべくピッチが析出しないような条件で通水しているが、濃縮するなど水質条件が変わるとピッチが析出しやすくなる。そこで、本発明のポリマー添加の上流側で無機凝集剤を添加して、析出しやすい環境に調整してピッチを析出させた上で、本発明による処理で析出物を除去することで、処理を安定化することができ、より高度にピッチを除去することが可能となる。
この場合、無機凝集剤の添加量は被処理水に対して５０〜２００ｍｇ／Ｌ、特に５０〜１００ｍｇ／Ｌ程度とすることが好ましい。無機凝集剤の添加量が上記下限以上であれば、処理が安定化するが、上記上限を超えてもその添加効果は頭打ちとなり、徒に薬注量が増えて好ましくない。
【００６７】
なお、無機凝集剤添加時には必要に応じてｐＨ調整剤などの析出促進剤を添加する。
例えば、上記のアルミニウム系無機凝集剤の場合、酸又はアルカリのｐＨ調整剤の添加で被処理水のｐＨを５〜８、好ましくは５．５〜７．５程度に調整することが好ましい。
【００６８】
［ブランケット式沈降槽］
本発明では、被処理水に本発明のポリマーを添加した後、短時間内に、具体的には５分以内に直接ブランケット式沈降槽に上向流通水してミクロピッチを分離除去する。
【００６９】
ここで、被処理水に本発明のポリマーを添加してから５分を超えた後にブランケット式沈降槽に通水しても前述の凝集体形成促進効果は十分には得られない。本発明のポリマーを添加してからブランケット式沈降槽に通水するまでの時間は５分以内であればよく、この時間は装置設備や作業性から通常３秒〜５分、好ましくは１０〜６０秒程度である。
【００７０】
このように、本発明のポリマー添加後、短時間内に被処理水をブランケット式沈降槽に通水するために、本発明では被処理水をブランケット式沈降槽に送給する通水配管に本発明のポリマーをライン注入し、ポリマーがライン注入された被処理水をブランケット式沈降槽に上向流通水することが好ましい。
【００７１】
以下、図１を参照してライン混合装置とブランケット式沈降槽とを有する本発明のピッチ含有水の処理装置を説明する。なお、図１は本発明のピッチ含有水の処理装置の実施の形態の一例を示すものであって、本発明のピッチ含有水の処理装置は、何ら図１に示すものに限定されない。例えば、図１には、無機凝集剤とｐＨ調整剤添加のための反応槽が設けられているが、無機凝集剤添加のための反応槽とｐＨ調整剤等の析出促進剤添加のための反応槽とを分けて設置してもよい。また、ライン注入の上流側に、混合槽となり得る貯槽が設けられていれば、これらの反応槽を省略することもできる。
【００７２】
図１において、１は反応槽、２はブランケット式沈降槽、３は汚泥界面調整槽である。
【００７３】
配管１１からの被処理水（原水）は、反応槽１内で無機凝集剤とｐＨ調整剤が添加されて凝集処理された後、配管１２を経てブランケット式沈降槽２の底部に送給される。この通水配管１２に注入配管１３から本発明のポリマーがライン注入される。
これらの通水配管や注入配管の構造は、ライン注入された水が、ブランケット式沈降槽２内で均一な上向流として通水されるように沈降槽２に流入させることができる構造であればよく、特に限定されない。
【００７４】
沈降槽２の大きさは、理論上の平均流速が、処理対象物質を十分に除去可能な流速以下（一般的には上向流の通水ＬＶ１〜２０ｍ／ｈ程度）となるように設計する。通水時のスラッジブランケット層の高さは、０．４〜２．０ｍの範囲で維持されるのが好ましい。スラッジブランケット層の高さを維持もしくは制御する方法として、下記の（１）又は（２）のいずれかを採用することが好ましい。
（１）沈降槽２の底部に設置した汚泥引抜ポンプを間欠運転させ、定期的に排泥制御とする。間欠運転の制御は、タイマーを用いるか、もしくはスラッジブランケット層の高さを感知する機器と連動させ、ある設定高さに到達したら排泥する制御とする。
（２）図１のように、沈降槽２に接するように界面調整槽３を設置し、スラッジブランケット層がある高さに到達したら、溢れたスラッジブランケットが重力で界面調整槽３にこぼれ落ち、自動的にスラッジブランケット層の高さが維持される方式とする。この場合、界面調整槽３に堆積した汚泥は、界面調整槽３の底部に設置された図示しない汚泥引抜ポンプにより配管１４を経て排泥される。この汚泥引抜ポンプの制御は、タイマーを用いるか、もしくはスラッジブランケット層の高さを感知する機器と連動させ、ある設定高さに到達したら排泥する制御とする。
【００７５】
ブランケット式沈降槽２のスラッジブランケット層の流動性を確保するために、図１に示すようにスラッジブランケット層の中間高さ付近を緩速撹拌する撹拌羽根を設けてもよい。この羽根の翼端速度は０．２〜５．０ｍ／ｍｉｎがよい。
【００７６】
本発明のポリマーは、図１に示すように、ブランケット式沈降槽２に被処理水が流入する直前の配管１２もしくは沈降槽２のトラフ中に添加する構造とするのが好ましい。これは、本発明のポリマーの凝集作用が、反応槽１において形成した微細フロック同士の凝集に対してではなく、反応槽１において形成した微細フロックと沈降槽２内のスラッジブランケット中の凝集体との凝集に対して、主に働かせるためである。
【００７７】
ブランケット式沈降槽２のスラッジブランケット層を上向流通水された処理水は被処理水中のミクロピッチが高度に除去された清澄な処理水であり、沈降槽２の上部に設置されたトラフから配管１５を経て取水される。
スラッジブランケット層を形成するＳＳが処理水にリークすることを防止するために、スラッジブランケット層の界面高さとトラフの底部との間に、０．２ｍ以上の距離を確保することが好ましい。
【００７８】
［後段処理］
特に限定されるものではないが、本発明による処理は、ブランケット式沈降槽の後段に膜濾過や層濾過のような濾過装置を備える場合に、前段でミクロピッチ等を除去することでこれらの濾過装置の閉塞等を防止して安定処理を行うことができ、好ましい。
即ち、余剰白水の紙料回収工程からの低濃度白水を濾過すると濾過装置内で濃縮されることで析出した析出物により閉塞し易く、処理不良を引き起こす懸念がある。あるいは閉塞を防止するために頻繁に洗浄する必要が生じる。
このような濾過装置の前段で本発明による処理を行うことで、これらの問題を解消ないし軽減することができる。
【実施例】
【００７９】
以下に実施例を挙げて本発明をより具体的に説明する。
【００８０】
なお、以下の実施例で用いた本発明のポリマーであるポリマーＡの詳細は以下の通りである。
【００８１】
＜ポリマーＡ＞
アクリルアミド／アクリル酸／アクリロイルオキシエチルトリメチルアンモニウムクロリド／メタクリロイルオキシエチルトリメチルアンモニウムクロリド／アクリル酸／アクリルアミド共重合物であって、カチオン基／アニオン基／ノニオン基の組成は２０ｍｏｌ％／５ｍｏｌ％／７５ｍｏｌ％であり、２５℃の４質量％ＮａＣｌ水溶液中に０．５質量％溶解させた溶液の粘度をブルックフィールド型粘度計で測定した値が１５．５ｍＰａ．ｓである両性ポリマー
【００８２】
また、以下の実施例において、ミクロピッチ含有量の測定は以下の方法で行った。
【００８３】
＜ミクロピッチ含有量の測定＞
被処理水と処理水および汚泥スラリー試料各２ｍｌに、疎水性蛍光染料（エキシトン社製Ｆｌｕｏｒｏｌ  ５５５）の０．１重量％エタノール溶液を、染料濃度が０．０１ｍｇ／Ｌとなるように添加し、ボルテックスミキサーを用いて撹拌した。染色した試料水１０μＬを２００μＬ用マイクロピペットで速やかに採取し、１８ｍｍ×１８ｍｍのカバーガラスでプレパラートを作成し、蛍光顕微鏡を用いて下記条件にて観察し、ＣＣＤカメラで撮影した。
顕微鏡：蛍光ミラーユニット：オリンパス株式会社製Ｕ−ＦＢＷ
蛍光源：ハロゲンランプ：オリンパス株式会社製Ｕ−ＨＧ  ＬＧＰＳ）
ＣＣＤカメラ：オリンパス株式会社製ＤＰ７３−ＳＥＴ−Ａ
接眼レンズ：１０倍
対物レンズ：１０倍
シャッタースピード：１秒
視野絞り、開口絞り：共に開放
ハロゲンランプ強度：３
画像サイズ：１２００×１６００ピクセル
得られた画像データを画像解析計測ソフトウェア（三谷商事株式会社製ＷｉｎＲＯＯＦ）にて画像解析した。解析処理は、下記（１）〜（５）の順に行った。
（１）カラー画像をグレースケール画像へ変換する変換処理
（２）黒を０、白を１００とした場合の前記グレースケール画像の明度が２０以下の領域を黒色、２０を超える領域を白色に２値化する２値化処理
（３）前記２値化処理後の画像の白色領域のうち、アスペクト比が０．２以下の粒子分の領域を除去する除去処理
（４）前記除去処理後の画像の白色領域の各粒子を球体へ概算し、体積（μｍ３）の計測
（５）０．４４μｍ／ピクセルとし、画像サイズとカバーガラスの面積比及び試料水量とから試料水量当たりのミクロピッチの体積としてミクロピッチ含有量の算出
【００８４】
マクロピッチ含有率は前述の方法で測定した。
【００８５】
［実施例１］
図１に示すピッチ含有水の処理装置を用いて、被処理水（原水）の処理を行った。
即ち、反応槽１で原水に無機凝集剤として硫酸バンドを添加すると共に、凝集ｐＨを調整して凝集処理した後、ブランケット式沈降槽２に送水する通水配管１２でポリマーＡをライン注入した後、ブランケット式沈降槽２に上向流通水した。ブランケット式沈降槽２のスラッジブランケット層は汚泥界面調整槽３の汚泥引抜ポンプのタイマー制御で排泥制御することにより高さを制御した。
【００８６】
処理条件は以下の通りである。
【００８７】
＜処理条件＞
・原水：余剰白水をディスクフィルター分離した低濃度白水
・原水ｐＨ：３〜４
・原水ＳＳ：５０〜１００ｍｇ／Ｌ、平均８０ｍｇ／Ｌ
・原水量：１．５〜４．０ｍ３／ｈ
・硫酸バンド添加量：１５０ｍｇ／Ｌ
・凝集ｐＨ：５．５〜６．０（２０％ＮａＯＨにより調整）
・ポリマーＡ添加量：５ｍｇ／Ｌ
・沈降槽の上向流通水ＬＶ：１．９〜５．１ｍ／ｈ
・スラッジブランケット層高さ：０．４５ｍ
・汚泥引抜ポンプのタイマー制御：１分ＯＮ／９分ＯＦＦ
・通水時間：６０日間
【００８８】
上記処理はポリマーＡの添加後、１５秒程度でブランケット式沈降槽に通水する条件となる。
【００８９】
＜結果・考察＞
上記の方法により固液分離操作を行った処理前後の水及び汚泥中に存在するミクロピッチ含有量（μｍ３／μＬ）を測定した結果を、原水のマクロピッチ含有率（個／ｍ２）と共に下記表１に示す。
表１に示す通り、経時的に原水中のマクロピッチ含有率やミクロピッチ含有量は変動し、ミクロピッチの含有量がときおり高くなる原水であったが、本発明によれば、処理水中のミクロピッチ含有量を安定して８７００μｍ３／μＬ以下に維持することができた。
【００９０】
【表１】
2020100917.tif 000004
【符号の説明】
【００９１】
１  反応槽
２  ブランケット式沈降槽
３  汚泥界面調整槽
【図１】
2020100917.tif 000005
【図２】
2020100917.tif 000006